(57)【要約】【課題】  複数の天井材を連結して天井を構成するための連結部を上方に突出させないで天井の高さ寸法を小さくでき、また、天井材同士を連結する作業を容易に行うことができる浴室ユニットの天井構造を提供する。【解決手段】  浴室ユニットの天井構造は、複数の天井材４，５を連結部６で連結して天井３を構成している。連結部６では、一方の天井材４の上面１０に形成された窪み部１１の内方には傾斜した一方の係止部１２を設け、他方の天井材５には一方の係止部に対向し且つ傾斜した他方の係止部１３を設け、窪み部１１側から斜めに挿入されたビス１４で一方の係止部と他方の係止部とを締結することにより、天井材同士を連結している。【選択図】    図４
2006016752.tif 000002
【特許請求の範囲】
【請求項１】
複数の天井材を連結部で連結して天井を構成する浴室ユニットの天井構造であって、
前記連結部では、一方の前記天井材の上面に形成された窪み部の内方には傾斜した一方の係止部を設け、他方の前記天井材には前記一方の係止部に対向し且つ傾斜した他方の係止部を設け、前記窪み部側から斜めに挿入された締結部材で前記一方の係止部と前記他方の係止部とを締結することにより、前記天井材同士を連結したことを特徴とする浴室ユニットの天井構造。
【請求項２】
請求項１に記載の浴室ユニットの天井構造であって、前記締結部材はビスであり、締結状態においてこのビスの頭部の全体またはほぼ全体が前記窪み部内に収納されていることを特徴とする浴室ユニットの天井構造。
【請求項３】
請求項２に記載の浴室ユニットの天井構造であって、前記一方の係止部には貫通孔を穿設するとともに前記他方の係止部にはスクリューグロメットを取付け、前記貫通孔を挿通した前記ビスはこのスクリューグロメットにねじ込まれていることを特徴とする浴室ユニットの天井構造。
【請求項４】
請求項２に記載の浴室ユニットの天井構造であって、前記一方の係止部には貫通孔を穿設し、この貫通孔を挿通した前記ビスは前記他方の係止部をつき破ってねじ込まれていることを特徴とする浴室ユニットの天井構造。
【発明の詳細な説明】
【技術分野】
【０００１】
本発明は、浴室ユニットの天井構造にかかり、特に、複数の天井材を連結部で連結して構成される天井の構造に関する。
【背景技術】
【０００２】
特許文献１（特開２００２−１３８６２２号公報）には、天井を構成する構成部材（天井材）の周縁部に突片を設け、この突片同士をねじ等で連結したプラスチック製天井材が記載されている。構成部材同士を連結する連結部では、突片に水平方向にねじを入れて締め付ける構造であり、施工現場では電気ドリルを使用してねじを締め付ける作業を行う。
一方、特許文献２（特開２００２−９７８１１号公報）には、接続手段すなわち締め付け金具を用いて蝶ボルトで連結する構成のユニットバスの天井構造が開示されている。
【特許文献１】実開２００２−１３８６２２号公報
【特許文献２】特開２００２−９７８１１号公報
【発明の開示】
【発明が解決しようとする課題】
【０００３】
一般的に、構成部材同士を連結する連結部は意匠性（美的外観）に最も影響する箇所であり、また十分な強度を得るためには、連結部の隙間を極力小さくして確実なねじ締め付け強度を得る必要がある。
そのためには、特許文献１に記載のプラスチック製天井材では、突片の付け根になるべく近い位置でねじにより締め付けるのが好ましい。ところが、このようにすると、電気ドリルでねじを水平方向に締め付ける際に、電気ドリルが構成部材の上面に当たってしまうので作業が困難であった。
突片が天井から上方に突出しているので、天井の高さ寸法が大きくなってしまい、天井裏スペースの確保が困難になり、天井に設ける点検口の蓋の設計，取扱いも困難になっていた。また、突片が外方に突出していると、これが輸送時や取付け作業時に変形したり割れたりする恐れがあった。
【０００４】
特許文献２に記載のユニットバスの天井構造では、接続手段を用いて連結し、また、電気ドリルを使用せず蝶ボルトにて固定するようになっている。そのため、部品点数が増えてコストが掛かってしまい、また、蝶ボルトの締め付け作業は手作業で行うので作業効率が悪かった。
【０００５】
本発明は、このような課題を解決するためになされたもので、複数の天井材を連結して天井を構成するための連結部を上方に突出させないで天井の高さ寸法を小さくでき、また、天井材同士を連結する作業を容易に行うことができる浴室ユニットの天井構造を提供することを目的とする。
【課題を解決するための手段】
【０００６】
上述の目的を達成するため、本発明にかかる浴室ユニットの天井構造は、複数の天井材を連結部で連結して天井を構成する浴室ユニットの天井構造であって、前記連結部では、一方の前記天井材の上面に形成された窪み部の内方には傾斜した一方の係止部を設け、他方の前記天井材には前記一方の係止部に対向し且つ傾斜した他方の係止部を設け、前記窪み部側から斜めに挿入された締結部材で前記一方の係止部と前記他方の係止部とを締結することにより、前記天井材同士を連結している。
前記締結部材はビスであり、締結状態においてこのビスの頭部の全体またはほぼ全体が前記窪み部内に収納されているのが好ましい。
一つの実施態様として、前記一方の係止部には貫通孔を穿設するとともに前記他方の係止部にはスクリューグロメットを取付け、前記貫通孔を挿通した前記ビスはこのスクリューグロメットにねじ込まれているのが好ましい。
他の実施態様として、前記一方の係止部には貫通孔を穿設し、この貫通孔を挿通した前記ビスは前記他方の係止部をつき破ってねじ込まれている場合であってもよい。
【発明の効果】
【０００７】
本発明の浴室ユニットの天井構造は、上述のように構成したので、複数の天井材を連結して天井を構成するための連結部を上方に突出させないで天井の高さ寸法を小さくでき、また天井材同士を連結する作業を容易に行うことができる。
【発明を実施するための最良の形態】
【０００８】
下記の実施例では、複数の天井材を連結して天井を構成するための連結部では、一方の天井材の上面に形成された窪み部の内方には、斜めに傾斜した一方の係止部を設け、他方の天井材には、一方の係止部に対向し且つ傾斜した他方の係止部を設けている。
そして、窪み部側から挿入された締結部材で一方の係止部と他方の係止部とを締結することにより、天井材同士を連結している。これにより、連結部を上方に突出させないで天井の高さ寸法を小さくでき、且つ天井材同士を連結する作業を容易に行うことができるという目的を実現している。
【実施例】
【０００９】
以下、本発明にかかる実施例を図１ないし図６を参照して説明する。
図１ないし図６は本発明の一実施例を示す図で、図１は、浴室ユニットの天井を示す正面図、図２，図３は、それぞれ図１に示す天井の平面図，正面断面図、図４は、図３のIV部拡大正面断面図、図５は天井の分解断面図、図６は、本実施例の変形例にかかる天井の一部を示す正面断面図である。
【００１０】
図１ないし図６に示すように、浴室ユニット（たとえば、システムバスルーム）１は、ユニット化された構成を有しており、一戸建て住宅，集合住宅，ホテルなど建物に設置される。
浴室ユニット１は、防水パンの外周部に立設された壁パネル２と、壁パネル２の上部を覆って取付けられた天井（すなわち、天井パネル）３とを有している。浴室ユニット１の内部には、浴槽，洗い場，カウンターなどが設けられている。
天井３は、複数（ここでは、二つ）の天井材４，５を連結部６で連結することにより構成された分割型天井パネルである。天井３の周囲には、フランジ２３が全周に渡って形成されている。フランジ２３を壁パネル２の上端のフランジ７に載せてボルト，ナットなどで締結固定することにより、天井３を壁パネル２に取付けている。
天井３には点検口が所定位置に形成されており、この点検口は蓋８により開閉可能になっている。天井３の上面には、電源ボックスが点検口の近傍に位置して設置されている。
【００１１】
一方の天井材４の上面１０には、連結部６の窪み部１１が形成されている。連結部６は、複数の天井材４，５を連結して天井３を構成するためのものである。連結部６において、一方の天井材４の窪み部１１の内方には、傾斜した一方の係止部１２を設け、他方の天井材５には、一方の係止部１２に対向し且つ傾斜した他方の係止部１３を設けている。
そして、窪み部１１側から挿入された締結部材としてのビス１４で、一方の係止部１２と他方の係止部１３とを締結することにより、天井材４，５同士を連結している。
これにより、連結部６が天井３から上方に突出しないので、天井３の高さ寸法Ｈを小さくすることができる。また、ビス１４を窪み部１１側から斜めに取付けるようになっているので、電気ドリル５の先端部を窪み部１１に斜めに挿入しビス１４を取付けて天井材４，５同士を連結する作業を容易に行うことができる。
【００１２】
天井３は平面視で矩形状をなしており、二つの天井材４，５を連結部６で連結する構成である。なお、三つ以上の天井材を連結部６で連結する構成であってもよい。
矩形状の二つの天井材４，５は、ほぼ直線状の連結部６で連結される。天井材４，５はそれぞれ二重構造になっており、断熱効果を発揮させるために内部には、ポリプロピレン（ＰＰ）製の発泡ビーズなどの断熱材１８がそれぞれ充填されている。
一方の天井材４に形成された窪み部１１は、連結部６の境界面に沿って複数（ここでは、五つ）直線状に並んで配置されている。窪み部１１は平面視で小さな矩形状をなしており、その底部１６はほぼ水平である。一方の係止部１２は、底部１６から所定の傾斜角度θで斜めに立ち上がっている。傾斜角度θは、電気ドリル１５を操作するのに適切な角度として４５度の場合を示している。
【００１３】
一方の係止部１２には、ビス１４を挿通させるための貫通孔１７が穿設されている。他方の天井材５に形成された他方の係止部１３は、水平面に対して一方の係止部１２の傾斜角度θと同じ傾斜角度θで傾斜している。
他方の係止部１３には、山形の変形可能部２０が一体的に形成されているので、この変形可能部２０と一方の係止部１２との間には隙間が形成されている。変形可能部２０の中心部にはスクリューグロメット２１が設けられている。スクリューグロメット２１は、他方の天井材５の内方側に突出して、他方の係止部１３の貫通孔のところに固定されている（図４，図５）。
一方の係止部１２の貫通孔１７とスクリューグロメット２１は、斜め方向を向く共通の中心軸線ＣＬを有するように配置されている。ビス１４は、貫通孔１７を挿通してスクリューグロメット２１にねじ込まれている。ビス１４をスクリューグロメット２１にねじ込めば変形可能部２０が弾性変形し、一方の係止部１２と他方の係止部１３は、変形可能部２０の弾性力が加わって互いに強く押し付けられて密着する。
【００１４】
ビス１４の締結状態において、ビス１４の頭部２２の全体またはほぼ全体（ここでは、全体）が窪み部１１内に収納されるようになっている。このようにすれば、ビス１４が一方の天井材４の上面１０より上方に突出しないので、天井３の高さ寸法Ｈを小さくすることができるので好ましい。
他方の係止部１３にスクリューグロメット２１を設けて、ビス１４をこのスクリューグロメット２１にねじ込むことにより、ビス１４の引き抜き強度が大きくなるので、連結部１６が強い力で連結される。
変形可能部２０を設けて、この変形可能部２０と一方の係止部１２との間に隙間を形成したので、ビス１４の締め代を大きくとることができ、両方の係止部１２，１３同士をより強い力で連結することができる。
【００１５】
天井材４，５を連結するときには、図５の矢印Ｂ1に示すように、他方の天井材５を一方の天井材４に対して相対的に近づけて、一方の係止部１２の貫通孔１７の中心軸線ＣＬと他方の係止部１３のスクリューグロメット２１の中心軸線とを一致させる。
次いで、電気ドリル１５を使用して、矢印Ｂ2に示すように、ビス１４を貫通孔１７に挿入するとともにスクリューグロメット２１にねじ込む。このとき、電気ドリル１５は斜めの状態で使用するので、電気ドリル１５が一方の天井材４に接触することはない。
したがって、電気ドリル１５でビス１４を貫通孔１７を介してスクリューグロメット２１に容易にねじ込んで、天井材４，５同士を連結することができる。天井３と建屋の天井面９との間の天井裏スペースＳはもともと狭いが、電気ドリル１５を使用して容易に連結作業を行うことができる。
なお、係止部１２，１３の傾斜角度θがほぼ４５度の場合を示したが、これ以外の角度であってもよい。たとえば、傾斜角度θを４５度から７０度の範囲にすれば、電気ドリル１５をより水平に近い角度で且つ一方の天井材４に接触させないで作業できるので、天井裏スペースＳが狭い場合であっても連結作業を行うことができる。
【００１６】
図６の変形例にかかる連結部６では、一方の係止部１２に貫通孔１７を穿設し、この貫通孔１７を挿通したビス１４は、他方の係止部１３ａを突き破ってねじ込むようになっている。なお、この変形例において、本実施例と同一または相当部分には同一符号を付してその説明を省略している。
この変形例によれば、上述のスクリューグロメット２１が不要になるので、連結部６の構成が簡略化するとともに、スクリューグロメット２１の中心軸線と貫通孔１７の中心軸線とを合わせる必要がなくなり、連結作業が容易になる。なお、他方の係止部１３ａは、スクリューグロメットがない点を除けば、上述の他方の係止部１３と構成および作用効果は同じである。
【００１７】
上述のように、本実施例（変形例を含む。以下同じ）では、一方の天井材４の上面１０に窪み部１１を形成し、一方の係止部１２を窪み部１１の内方に傾斜して設け、他方の天井材５には、他方の係止部１３，１３ａを一方の係止部１２に対向し且つ傾斜して設けている。
一方の天井材４に窪み部１１を形成したので、一方の係止部１２を窪み部１１に上面１０より上方に突出することなく傾斜して設けることができ、また、窪み部１１のスペースで電気ドリル１５の先端部を斜め方向に操作することができる。
このとき、電気ドリル１５は、斜めなので一方の天井材４に当たらず容易に操作することができる。そして、傾斜した一方の係止部１２と他方の係止部１３，１３ａに、ビス１４を差し込むことが可能になる。
天井裏スペースＳが狭くても、ビス１４を窪み部１１側から斜めに係止部１２，１３，１３ａに挿入してねじ込むことができるので、連結作業が容易になり、係止部同士を確実なねじ締め付け強度で締結して天井材４，５同士を強固に連結することができる。
【００１８】
以上、本発明の一実施例を説明したが、本発明は上述の実施例に限定されるものではなく、本発明の要旨の範囲で種々の変形，付加などが可能である。
なお、各図中同一符号は同一または相当部分を示す。
【産業上の利用可能性】
【００１９】
本発明は、住宅（一戸建て住宅，集合住宅），ホテルなどに設置される浴室ユニットに適用可能である。
【図面の簡単な説明】
【００２０】
【図１】図１ないし図６は本発明の一実施例を示す図で、図１は、浴室ユニットの天井を示す正面図である。
【図２】図１に示す天井の平面図である。
【図３】天井の正面断面図である。
【図４】図３のIV部拡大正面断面図である。
【図５】天井の分解断面図である。
【図６】本実施例の変形例にかかる天井の一部を示す正面断面図である。
【符号の説明】
【００２１】
１    浴室ユニット
３    天井
４    一方の天井材（天井材）
５    他方の天井材（天井材）
６    連結部
１０  上面
１１  窪み部
１２  一方の係止部
１３，１３ａ    他方の係止部
１４  ビス（締結部材）
１７  貫通孔
２１  スクリューグロメット
２２  頭部
【図１】
2006016752.tif 000003
【図２】
2006016752.tif 000004
【図３】
2006016752.tif 000005
【図４】
2006016752.tif 000006
【図５】
2006016752.tif 000007
【図６】
2006016752.tif 000008